(57)【特許請求の範囲】
【請求項１】
プラスチック容器と、該プラスチック容器の外周に巻装された紙製外装体とを備えた複合容器において、
前記プラスチック容器は、前記プラスチック容器の外周下部に、内側に入り込むように、底部と連続する底周縁部を有し、
前記紙製外装体は、前記紙製外装体の下端に沿って内側向きに、該下端が前記プラスチック容器の底部より下側に延びるように配置される、圧潰状態の折り返し部を有し、
前記底周縁部の隅部が前記折り返し部の中央部に当接状態にあることで、前記紙製外装体を前記プラスチック容器の外周に固定する接合構造をさらに備える
ことを特徴とする複合容器。
【請求項２】
前記プラスチック容器は、前記プラスチック容器の外周上部に、外側に突出するように、突起部を有し、
前記紙製外装体は、前記紙製外装体の上端に沿って内側向きに、第２折り返し部を有し、
前記第２折り返し部が前記突起部に係合状態にあることで、前記紙製外装体を前記プラスチック容器の外周に固定する第２接合構造をさらに備える
ことを特徴とする請求項１記載の複合容器。
【請求項３】
前記突起部は、前記プラスチック容器の周方向に、間欠的に複数形成される
ことを特徴とする請求項２記載の複合容器。
【請求項４】
前記折り返し部下端が形成する外周は、前記底周縁部最上部における前記プラスチック容器の開口より大きく、前記底周縁部最上部直上における前記プラスチック容器の開口より小さい
ことを特徴とする請求項１記載の複合容器。
【発明の詳細な説明】
【技術分野】
【０００１】
本発明は、プラスチック容器と、プラスチック容器の外周に巻装される紙製外装体とを備えた複合容器に関する。
【背景技術】
【０００２】
一般に、食品容器として、紙容器とプラスチック容器が用いられている。
【０００３】
紙容器は、側面に美麗な印刷を施すことができるという長所を有する一方、長期間の保存において微細なピンホールから空気や内容物が漏れるおそれがあるという短所を有する。また、内容物充填後に蓋をする際、フランジ部のシーム段差においてシール不良となるおそれもある。
【０００４】
プラスチック容器は、密封性に優れ、フランジ部におけるシールも良好であるという長所を有する一方、側面に美麗な印刷を施すことに制約があるという短所を有する。
【０００５】
そこで、両者の長所を生かすべく、グラビア印刷等を施した紙製外装（紙製外装体）をプラスチック容器の外周に設ける複合容器が提案されている。複合容器においては、紙製外装体とプラスチック容器との接合構造をどのようにするかが重要である。
【０００６】
例えば、接着剤を用いた接合構造では、接着工程が必要になり、その結果、製造コストが高くなり、製造スピードが落ち、好ましくない。また、容器使用後廃棄する際には、紙とプラスチックを分別する必要があるが、接着剤を用いた接合構造では、分別が困難となる。さらに、内容物が食品の場合、接着剤の臭いが問題視されることが多い。
【０００７】
特許文献１には、接着剤を用いない接合構造を備えた複合容器が提案されている。
【０００８】
従来技術の複合容器は、逆円錐台形状に形成されたプラスチック容器の外周に別体の紙スリーブ（紙製外装体）を巻装してなり、プラスチック容器の外周上部に外側に突出した段部が形成されると共に、プラスチック容器の外周下部において周状に内側に凹んだ凹部が形成され、プラスチック容器の段部の外周に紙スリーブの上端を係止した状態で巻装し、紙スリーブの下端に沿って内側向きに形成したカール部をプラスチック容器の外周下部の凹部に嵌合したことによって、プラスチック容器の外周と紙スリーブとの間に空隙を形成した状態で該紙スリーブをプラスチック容器の外周に固定することを特徴とする。
【０００９】
すなわち、従来技術の複合容器は、カール部と凹部による接合構造を特徴とする。この接合構造により、接着剤を用いないで、紙製外装体をプラスチック容器の外周に固定できる。また、廃棄分別の際には、プラスチック容器の底部形状を変形させて、カール部を凹部から離脱させ、容易に紙製外装体をプラスチック容器から取り外しできる。
【先行技術文献】
【特許文献】
【００１０】
【特許文献１】特許第４７１１１３０号公報
【発明の概要】
【発明が解決しようとする課題】
【００１１】
上述の様に、従来技術において、カール部は必須の構成となる。なお、カール部は、紙製外装体端部を断面円形または断面矩形に巻回した形状に形成したものである。
【００１２】
ところで、カール部はその形状を維持するのが難しい。たとえば、湿度が著しく高い場合など、紙が空気中の水分を吸収し、カールが伸びてしまうおそれがある。カール形状が著しく変化すると、所定の位置（凹部）で紙製外装体とプラスチック容器は接合しなくなり、複合容器製造時に接合不良の原因となるおそれがある。また、複合容器製造後においても、カール部が凹部から離脱し、接合不良の原因となるおそれがある。
【００１３】
本発明は、上記課題を解決するものであり、従来技術に比べより安定した接合構造を備える複合容器を提供することを目的とする。
【課題を解決するための手段】
【００１４】
上記の目的を達成するために、本発明の複合容器は、プラスチック容器と、該プラスチック容器の外周に巻装された紙製外装体とを備えた複合容器において、前記プラスチック容器の外周下部に、内側に入り込むように、底周縁部が形成され、前記紙製外装体の下端に沿って内側向きに、折り返し部が形成され、前記折り返し部が前記底周縁部に嵌合されることにより、前記紙製外装体を前記プラスチック容器の外周に固定する接合構造をさらに備えることを特徴とする。
【００１５】
本発明における折り返し部は、従来技術におけるカール部に比べ、形状が安定して維持される。たとえば、湿度が著しく高い場合など、紙が空気中の水分を吸収したとしても、折り返し部の変形は限定的であり、接合不良の原因を抑制できる。なお、本発明における折り返し部は、従来技術におけるカール部ほどではないものの、弾性機能を維持しており、嵌合による接合ができる。接合構造（第１）により、強固に紙製外装体をプラスチック容器の外周に固定できる。
【００１６】
さらに好ましくは、前記折り返し部は、圧潰状態である。
【００１７】
これにより、より安定して折り返し部の形状が維持される。
【００１８】
さらに好ましくは、前記折り返し部は、その下端が前記プラスチック容器の底部より下側に延びるように、配置される。
【００１９】
これにより、紙製外装体の印刷面積を増やすことができる。また、内容物充填時には、プラスチック容器底部の変形を吸収できる。
【００２０】
さらに好ましくは、前記プラスチック容器の外周上部に、外側に突出するように、突起部が形成され、前記紙製外装体の上端に沿って内側向きに、第２折り返し部が形成され、前記第２折り返し部が前記突起部に係合されることにより、前記紙製外装体を前記プラスチック容器の外周に固定する第２接合構造をさらに備える。
【００２１】
さらに好ましくは、前記突起部は、前記プラスチック容器の周方向に、間欠的に複数形成される。
【００２２】
第２接合構造により、更に強固に紙製外装体をプラスチック容器の外周に固定できる。第２接合構造は、第２折り返し部が突起部に係合されるものであり、折り返し部（第１）による効果と同様な効果を期待できる。
【００２３】
さらに好ましくは、前記折り返し部下端が形成する外周は、前記底周縁部最上部における前記プラスチック容器の開口より大きく、前記底周縁部最上部直上における前記プラスチック容器の開口より小さい。
【００２４】
これにより、複合容器積み重ね時の課題を解決できる。すなわち、上の複合容器の紙製外装体の外側面は、下の複合容器のプラスチック容器２の内側面と接しない。したがって、積み重ねた複合容器が抜けなくなることを防止できる。
【００２５】
上記の目的を達成するために、本発明の複合容器の製造方法は、プラスチック容器と、該プラスチック容器の外周に巻装された紙製外装体とを備え、前記プラスチック容器の外周下部に、内側に入り込むように、底周縁部が形成され、前記紙製外装体の下端に沿って内側向きに、折り返し部が形成され、前記折り返し部が前記底周縁部に嵌合されることにより、前記紙製外装体を前記プラスチック容器の外周に固定する接合構造をさらに備える複合容器の製造方法であって、前記紙製外装体の下端を内側向きに折り曲げ、該折り曲げた部分を圧潰して、前記折り返し部を形成することを特徴とする。
【発明の効果】
【００２６】
本発明によれば、従来技術に比べ、より安定した接合構造とすることができる。たとえば、湿度が著しく高い場合など、紙が空気中の水分を吸収したとしても、折り返し部の変形は限定的であり、接合不良の原因を抑制できる。
【図面の簡単な説明】
【００２７】
【図１】複合容器の概略構成（側面図・断面図）
【図２】合体前の複合容器（斜視図）
【図３】紙製外装体形成方法
【図４】折り返し部形成方法
【図５】従来技術に係る複合容器
【図６】複合容器を積み重ねた状態
【図７】ミシン目を付加した状態
【図８】変形例に係る複合容器の概略構成（１）
【図９】変形例に係る複合容器の概略構成（２）
【図１０】変形例に係る複合容器の概略構成（３）
【図１１】変形例に係る複合容器の概略構成（４）
【図１２】変形例に係る複合容器の概略構成（５）
【図１３】変形例に係る複合容器の概略構成（６）
【図１４】変形例に係る複合容器の概略構成（７）
【発明を実施するための形態】
【００２８】
〜構成・動作〜
本実施形態の構成について説明する。図１は、本実施形態に係る複合容器１の概略構成図である。左半分が側面図であり、右半分が断面図である。図２は、プラスチック容器と紙製外装体とを合体する前の状態を示す斜視図である。
【００２９】
本発明の複合容器１において、プラスチック容器２の外周に別体の紙製外装体３が巻装されている。
【００３０】
プラスチック容器２の外周下部に、周状に内側に入り込んで段を形成するように、底周縁部２１が形成され、紙製外装体３の下端に沿って内側向きに、折り返し部３１が形成される。折り返し部３１が底周縁部２１に嵌合されることにより、紙製外装体３をプラスチック容器２の外周に固定する第１接合構造が構成される。
【００３１】
プラスチック容器２の外周上部に、外側に突出するように、突起部２２が形成され、紙製外装体３の上端に沿って内側向きに、折り返し部３２が形成される。折り返し部３２が突起部２２に係合されることにより、紙製外装体３をプラスチック容器２の外周に固定する第２接合構造が構成される。
【００３２】
プラスチック容器２は、底部２３と、逆円錐台形状をなす胴部２４と、その胴部２４の上端にて外周に突出されているフランジ部２５とを有する。胴部２４には、下部に底周縁部２１が周状に形成され、上部に８つの突起部２２が周方向に間欠的に形成される。底周縁部２１は、胴部２４が内側に入り込むように形成され、底部２３と連続する。すなわち、従来技術のような凹部ではない。フランジ部２５には、内容物充填後、蓋（図示省略）がシールされる。
【００３３】
なお、プラスチック容器２の材料は、食品用として知られている周知の種々のプラスチック材料を内容物や用途に応じて選択すればよいものであって、特定の素材に限定されるものではない。ただし、製造コストや軽量化の面から薄厚とするのが好ましく、そのために問題となる強度面の弱体化に関しては、後述するように、紙製外装体３を合体させることによって増強するようにしている。
【００３４】
また、上記のプラスチック容器２をシート成形によって形成することにより、生産性を高め、コストダウンを図ることが可能となる。
なお、プラスチック容器２は逆円錐台形状であるとしたが、これに限定されるものでなく、多角形状・四角形状・楕円形状など種々の形状が可能である。
【００３５】
紙製外装体３は、プラスチック容器２が逆円錐台形状に形成されたことに対応して、胴部２４の外周を均等に巻装するように逆円錐台形状に形成される。図３は、紙製外装体３の形成方法を説明する図である。
【００３６】
下辺３３と上辺３４とが円弧形を有する扇形の展開形状３５を形成する（図３Ａ）。展開形状３５の表面（好ましくは外表面であるが両面であってもよい）には高分子等によるラミネート被覆３６（好ましくは、耐水性または撥水性を有する被膜）が施されている。なお、耐水性の高い紙を用いるならば、コーティングなしでもよい。なお、紙製外装体３はプラスチック容器２と別体に構成されているため、紙製品に対する印刷の容易性を利用して、予め、紙製外装体３の表面に精緻で美麗な印刷を施すことが可能である。
【００３７】
展開形状３５の一端には接着部３７が形成されている。展開形状３５を湾曲させ、展開形状３５の他端と接着部３７を重ね合わせ、接着剤の使用又は表面高分子コーティングを溶かす事による溶着により、紙製外装体３を逆円錐台形状に形成する（図３Ｂ）。
なお、このように紙製外装体３を逆円錐台形状にすれば、プラスチック容器２が多角形状等であっても、各形状に沿って変形可能である。
【００３８】
さらに、紙製外装体３の下端に沿って内側向き（紙製外装体３裏側）に折り返し部３１を形成し、紙製外装体３の上端に沿って内側向きに折り返し部３２を形成する（図３Ｃ）。
【００３９】
図４は、折り返し部３１の形成方法を説明する図である。なお、折り返し部３２の形成方法も同様である。折り返し部３１は紙製外装体下端を１回折り返したものである。２回以上の重ねての折り返しは行われていない。
【００４０】
紙製外装体３の下端３３（図４Ａ）を内側向きに折り曲げる（図４Ｂ）。この時、紙製外装体端部は一周未満である（カール部４５と異なり完全な周形状を形成しない）。紙製外装体３の内外の両方から圧力をかけて、折り曲げた部分を潰す（図４Ｃ）。内外の一方において反力をとり、他方から圧力をかけてもよい。これにより、折り返し部３１は、圧潰状態となる（図４Ｄ）。
【００４１】
圧潰状態とすることにより、折り返し部３１は、形状維持機能と弾性機能の両方を有する。
【００４２】
プラスチック容器２と紙製外装体３とを合体するには、プラスチック容器２の底部２３を紙製外装体３の広口側から挿入し、折り返し部３１が底周縁部２１に嵌合された状態にするとともに、折り返し部３２が突起部２２に係合された状態にする。
【００４３】
プラスチック容器２挿入時に、折り返し部３１先端が開いていると、底部２３と干渉してしまうが、本実施形態においては、圧潰状態よる形状維持機能により、折り返し部３１と底部２３とが干渉することなく、プラスチック容器２はスムーズに挿入される。
また、仮に、多少、形状が維持できなくとも、折り返し部３１先端が円周外方向に向く（図４Ｂ参照）ため、折り返し部３１と底部２３とが干渉することなく、プラスチック容器２はスムーズに挿入される。
【００４４】
一方、折り返し部３１は、圧潰状態であっても弾性機能を維持する。折り返し部３１が底周縁部２１に嵌合されると、折り返し部３１の弾性機能は、プラスチック容器２周りを締めるように作用する。
【００４５】
折り返し部３２は、圧潰状態により、形状維持機能と弾性機能の両方を有する。折り返し部３２が突起部２２に係合されると、折り返し部３２の弾性機能は、プラスチック容器２周りを締めるように作用する。さらに、折り返し部３２下端が突起部２２上部に係止される。
【００４６】
このようにプラスチック容器２の外周に紙製外装体３を固定する作業は容易であり、第１接合構造及び第２接合構造が構成された後は、ロック状態となり、紙製外装体３がプラスチック容器２から容易に外れることがない。
【００４７】
この時、折り返し部３１の下端３８がプラスチック容器の底部２３より下側に延びている。
【００４８】
一般に、プラスチック容器２の外周に紙製外装体３を固定した後、内容物を充填し、フランジ部２５に蓋をシールする。プラスチック容器２に内容物を充填し、フランジ部２５に蓋をシールした後、プラスチック容器２の外周に紙製外装体３を固定してもよい。
【００４９】
〜効果〜
従来技術と比較することにより、本実施形態の効果について説明する。図５は、従来技術に係る複合容器１１の概略構成図である。左半分が側面図であり、右半分が断面図である。
【００５０】
従来技術の複合容器４１は、逆円錐台形状に形成されたプラスチック容器４２の外周に別体の紙スリーブ（紙製外装体）４３を巻装してなり、プラスチック容器４２の外周上部に外側に突出した段部４９が形成されると共に、プラスチック容器４２の外周下部において周状に内側に凹んだ凹部４４が形成され、プラスチック容器４２の段部４９の外周に紙スリーブ４３の上端を係止した状態で巻装し、紙スリーブ４３の下端に沿って内側向きに形成したカール部４５をプラスチック容器の外周下部の凹部４４に嵌合したことによって、プラスチック容器４２の外周と紙スリーブ４３との間に空隙Ｇを形成した状態で該紙スリーブ４３をプラスチック容器４２の外周に固定する。すなわち、カール部４５と凹部４４による接合構造を特徴とする。なお、カール部４５は、紙製外装体端部を断面円形または断面矩形に巻回した形状に形成したものであり、この点で折り返し部３１，３２と異なる。
【００５１】
ところで、カール部４５はその形状を維持するのが難しい。たとえば、湿度が著しく高い場合など、紙が空気中の水分を吸収し、カールが伸びてしまうおそれがある。カール形状が著しく変化すると、所定の位置（凹部４４）で紙スリーブ４３とプラスチック容器４２は接合しなくなり、複合容器製造時に接合不良の原因となるおそれがある。また、複合容器製造後においても、カール部４５が凹部４４から離脱し、接合不良の原因となるおそれがある。
【００５２】
一方、本実施形態においては、折り返し部３１と底周縁部２１による第１接合構造および折り返し部３２と突起部２２による第２接合構造を特徴とする。
【００５３】
折り返し部３１および折り返し部３２は、簡単な構造であるうえ、圧潰状態にあるため、形状が安定して維持される。たとえば、湿度が著しく高い場合など、紙が空気中の水分を吸収したとしても、折り返し部３１，３２の変形は限定的であり、接合不良の原因を抑制できる。
【００５４】
〜その他の効果〜
（１）従来技術の複合容器４１は、意図的に、プラスチック容器４２の外周と紙スリーブ４３との間に空隙Ｇを形成し、断熱効果を期待している。しかし、高温度の内容物でなければ、断熱効果は不要である。また、プラスチック容器４２の材質を断熱効果の高い材質にすることで、対応することもできる。すなわち、一般的な複合容器において空隙Ｇは必須の構成ではない。一方で、空隙Ｇがあることで、剛性にかかる課題が発生する。
【００５５】
従来技術では、カール部４５は必須の構成である。カール部４５は周半径方向に一定のサイズを有する為、結果的に空隙Ｇは必ず形成される。カール部４５の高剛性により、容器全体の剛性を補っているが、空隙Ｇに対応する部分の剛性は低い。消費者が内容物を食しようと、空隙Ｇに対応する部分（紙スリーブ４３中部）を握ると、紙スリーブ４３は大きく変形する。消費者は触覚に違和感を覚え、無意識のうちに更に強く握り、内容物が飛び出すおそれがある。
【００５６】
一方、本実施形態においては、折り返し部３１と底周縁部２１による第１接合構造および折り返し部３２と突起部２２による第２接合構造を特徴とする。折り返し部３１，３２の個々の剛性は、カール部４５の剛性より低いが、２つの接合構造とすることにより、容器全体の剛性を補っている。
【００５７】
折り返し部３１，３２の周半径方向サイズは、カール部４５の周半径方向サイズに比べて、著しく小さい。したがって、プラスチック容器２の外周と紙製外装体３との間に空隙Ｇはほとんど形成されない（実際は形成されるが、無視できる）。
【００５８】
消費者が内容物を食しようと、紙製外装体３中部を握っても、紙製外装体３の変形は限定的であり、消費者は触覚に違和感を覚えることなく、内容物が飛び出すおそれもない。
【００５９】
すなわち、従来技術の剛性に係る課題を解決できる。
【００６０】
（２）従来技術は、カール部４５と凹部４４による接合構造を特徴とする。凹部４４はプラスチック容器４２の外周下部に形成され、カール部４５は紙製外装体４３の下端に沿って形成される。その結果、紙製外装体４３の下端は、プラスチック容器４２の底部４６より上部に位置する。
【００６１】
ところで、紙製外装体（紙スリーブ）には、商品名、商標、販売促進効果のあるデザインの他、食品成分、品質管理のためのバーコード、連絡先、消費者への注意事項など、各種情報が印刷される。商標やデザイン等は、狭い範囲に詰め込んで表示すると美観を損なう。また、消費者への注意事項は、充分な注意喚起ができるように、なるべく大きく表示する様に求められている。そのため、印刷面積の制約を受けない（印刷面積がなるべく広い）ことが好ましい。
【００６２】
従来技術では、カール部４５と凹部４４による接合構造のため、印刷面積の制約を受ける。また、外観において、プラスチック容器２の下部が露出するため、美観を損なう。
【００６３】
一方、本実施形態においては、折り返し部３１と底周縁部２１による第１接合構造を特徴とする。折り返し部３１の長さを長くすることで、折り返し部３１の下端３８がプラスチック容器の底部２３より下側に延びるように、紙製外装体３を配置できる。つまり、紙製外装体３は、プラスチック容器２側面全域を覆う。
【００６４】
これにより、従来技術に比べて印刷面積を増やすことができる。また、外観において、プラスチック容器２の下部が露出することがなく、美観を損なわない。
【００６５】
すなわち、従来技術の印刷面積および美観に係る課題を解決できる。
【００６６】
（３）従来技術は、カール部４５と凹部４４による接合構造を特徴とする。凹部４４はプラスチック容器４２の外周下部に形成され、カール部４５は紙スリーブ４３の下端に沿って形成される。その結果、プラスチック容器４２の底部４６がテーブル等に接地する。
【００６７】
ところで、複合容器４１に内容物が充填されると、内容物の重量が作用し、プラスチック容器４２の底部４６が変形する。特に、プラスチック容器４２を薄肉化した場合は、この変形がより顕著になる。底部４６形状が変形すると、接地が不安定となる。そのため、従来技術では底部に凹部４７を設け、凹部４７において形状変形を吸収する様にしている。
【００６８】
しかし、底部４６に凹部４７を設けると、プラスチック容器４２の内容量が減少してしまう。また、底部４６に凹部４７を設けると、消費者は最後まで内容物（例えばジャム）を取り出せず、不満を感じる。
【００６９】
一方、本実施形態においては、折り返し部３１と底周縁部２１による第１接合構造を特徴とする。折り返し部３１の長さを長くすることで、折り返し部３１の下端３８がテーブル等に接地し、底部２３の下に空間２６が形成されている。
【００７０】
これにより、複合容器１に内容物が充填され、内容物の重量が作用し、プラスチック容器２の底部２３が変形しても、形状変形は空間２６に吸収される。したがって、接地が不安定になることはない。その結果、付随する課題も発生しない。
また、内容物を加熱充填して密封した後、冷却した時、減圧変形が起こる。従来技術において、プラスチック容器４２の底部４６が減圧変形すると、接地が不安定となる。また、容器形状が大きく変形すると美観を損ねる。
一方、本実施形態においては、プラスチック容器２の底部２３が減圧変形しても、形状変形は空間２６に吸収され、接地が不安定になることはない。また、外観において、紙製外装体３がプラスチック容器２の下部を露出させることなく覆っているため、プラスチック容器２の底部２３が減圧変形しても、美観を損ねることもない。
さらに、積極的に減圧変形を吸収するような形状にプラスチック容器２の底部２３を加工することもできる。
【００７１】
すなわち、従来技術の内容物充填時に係る課題を解決できる。
【００７２】
また、ラミネート被覆３６された折り返し部３１の下端３８が接地することにより、紙の端面３３が接地することがなく、仮に接地箇所に水分があったとしても、水分は吸収されない。また、耐水性の高い紙を用いた場合も同様である。
【００７３】
〜その他の構成・効果〜
（１）本実施形態では、折り返し部３１下端が形成する外周３８が、底周縁部２１最上部におけるプラスチック容器２の開口２７より大きく、底周縁部２１最上部直上におけるプラスチック容器２の開口２８より小さい
図６は、複合容器１を積み重ねた状態を示す図である。上の複合容器の紙製外装体３の折り返し部３１の下端３８が、上の複合容器のプラスチック容器２の底周縁部２１上面に接地する。一方、プラスチック容器２の逆円錐台形状に対応して、紙製外装体３の逆円錐台形状が形成されている。その結果、上の複合容器の紙製外装体３の外側面は、下の複合容器のプラスチック容器２の内側面と平行となり接しない。
【００７４】
これにより、積み重ねた複合容器１が抜けなくなることを防止できる。
【００７５】
（２）図７は、本実施形態の紙製外装体３にミシン目３９を付加したものである。ミシン目３９は、紙製外装体３の上端から下端まで連続的に形成される。
【００７６】
従来技術では、複合容器４１の分別廃棄の際に、プラスチック容器４２の底部４６を上方へ押し上げ、底部４６周辺の形状を崩すことにより、紙スリーブ４３のカール部４５をプラスチック容器４２の凹部４４から離脱させ、紙スリーブ４３をプラスチック容器４２から取り外す。
【００７７】
ところで、複合容器では、紙製外装体（紙スリーブ）にミシン目を設け、ミシン目に沿って紙製外装体を破断させ、紙製外装体をプラスチック容器から取り外す方法が一般的である。しかし、従来技術においては、カール部４５が高剛性であるため、破断させることが困難である。そのため、ミシン目破断による取り外し方法では解決しにくい。
【００７８】
一方、本実施形態においては、折り返し部３１，３２の個々の剛性は、カール部４５の剛性より低く、ミシン目３９に沿って、紙製外装体３を破断させ、容易に紙製外装体３をプラスチック容器２から取り外すことができる。
【００７９】
〜変形例〜
本願発明は、上記実施形態に限定されるものではなく、本願発明の技術思想の範囲内で様々な変形が可能である。また、下記変形例を組み合わせてもよい。
【００８０】
（１）図８は、一の変形例である。上記実施形態に比べ折り返し部３１の長さが長く、折り返し部３１の上端が底周縁部２１と胴部２４の間に形成される面２９に係止される。これにより、第１接合構造は、より良好な接合となる。
【００８１】
（２）図９は、別の変形例である。上記実施形態では、折り返し部３１の下端３８がプラスチック容器の底部２３より下側に延びているが、折り返し部３１の下端３８がプラスチック容器の底部２３と同じ位置であってもよい。
【００８２】
（３）図１０は、別の変形例である。上記実施形態では、断面において底周縁部２１は直線状に下方に拡大するように形成されるが、漸次的に下方に縮小し、丸味部を介して底部２３と連続してもよい。これにより、更に、消費者は最後まで内容物（例えばジャム）を取り出すことができる。
【００８３】
（４）図１１は、別の変形例である。上記実施形態では、プラスチック容器の胴部２４上部に８つの突起部２２が周方向に間欠的に形成されているが、連続する周状に形成されていてもよい。また、突起部２２の個数は２つ以上であればいくつでもよい。
【００８４】
（５）図１２は、別の変形例である。上記実施形態では、プラスチック容器２の外周上部に、外側に突出するように、突起部２２が形成されているが、プラスチック容器２の外周上部に、周状に内側に入り込んで段を形成するように、上周縁部３０が形成されてもよい。折り返し部３２が上周縁部３０に嵌合されると、折り返し部３２の弾性機能は、プラスチック容器２周りを締めるように作用する。これにより、プラスチック容器２の外周と紙製外装体３との間に空隙Ｇは形成されなくなる。
【００８５】
（６）図１３は、別の変形例である。上記実施形態では、プラスチック容器２の外周上部に、外側に突出するように、突起部２２が形成されているが、胴部２４が連続していてもよい。すなわち、突起部２２がなくともよい。
【００８６】
（７）図１４は、別の変形例である。折り返し部３１におけるプラスチック容器２と当接する箇所、または、当該箇所よりやや上部に、罫線４０が設けられている。
嵌合前の折り返し部３１の作用は、上記実施形態と同様である。
折り返し部３１が底周縁部２１に嵌合されると、折り返し部３１は罫線４０に沿って折れ曲がり、折り返し部３１先端がプラスチック容器２側に向き、プラスチック容器２に沿うため、第１接合構造の嵌合強度がより増す。
【符号の説明】
【００８７】
１  複合容器
２  プラスチック容器
３  紙製外装体
２１  底周縁部
２２  突起部
２３  底部
２４  胴部
２５  フランジ部
２６  空間
２７  開口（底周縁部最上段）
２８  開口（底周縁部直上）
２９  係止面
３０  上周縁部
３１  折り返し部
３２  折り返し部
３３  下辺
３４  上辺
３５  展開形状
３６  ラミネート被覆
３７  溶融部
３８  外周（折り返し部３１下端）
３９  ミシン目
４０  罫線
４１  複合容器（従来技術）
４２  プラスチック容器
４３  紙スリーブ（紙製外装体）
４４  凹部
４５  カール部
４６  底部
４７  凹部
【図１】
0005939569.tif 000002
【図２】
0005939569.tif 000003
【図３】
0005939569.tif 000004
【図４】
0005939569.tif 000005
【図５】
0005939569.tif 000006
【図６】
0005939569.tif 000007
【図７】
0005939569.tif 000008
【図８】
0005939569.tif 000009
【図９】
0005939569.tif 000010
【図１０】
0005939569.tif 000011
【図１１】
0005939569.tif 000012
【図１２】
0005939569.tif 000013
【図１３】
0005939569.tif 000014
【図１４】
0005939569.tif 000015